【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
複数の画素が行方向及び列方向において２次元に配列された有効画素部と、前記有効画素部の行方向または列方向の端部に少なくとも１ライン設けられた基準画素部とを有する撮像素子と、
前記有効画素部から有効画素信号を読み出すための有効画素信号読み出し領域と、前記基準画素部から基準画素信号を読み出すための基準画素信号読み出し領域とを行方向または列方向の少なくとも一方において可変設定する設定手段と、
前記有効画素信号読み出し領域から前記有効画素信号を読み出すとともに、前記基準画素信号読み出し領域から前記基準画素信号を読み出す読み出し手段と、
前記基準画素信号読み出し領域が前記有効画素信号読み出し領域よりも広くなるように前記設定手段を制御する制御手段と、
を有することを特徴とする撮像装置。
【請求項２】
前記制御手段は、前記基準画素信号読み出し領域が前記基準画素部の領域全体よりも前記行方向または前記列方向の少なくとも一方において狭くなるように前記設定手段を制御することを特徴とする請求項１に記載の撮像装置。
【請求項３】
前記読み出し手段により読み出した前記基準画素信号に基づいて列または行ごとの補正データを生成する補正データ生成手段と、
前記補正データを用いて、前記読み出し手段により読み出した前記有効画素信号を列または行ごとに補正する補正手段と、を更に有することを特徴とする請求項１または２に記載の撮像装置。
【請求項４】
前記補正データ生成手段により前記補正データを生成する場合に、前記制御手段は、前記基準画素部から前記基準画素信号を列方向に１列おきに間引いて読み出し、間引く列をフレームごとに切り替えるように前記読み出し手段を制御することを特徴とする請求項３に記載の撮像装置。
【請求項５】
前記補正データ生成手段により前記補正データを生成する場合に、前記制御手段は、前記基準画素部から前記基準画素信号を列方向に１列おきに間引いて読み出し、間引く列を１行おきに切り替えるように前記読み出し手段を制御することを特徴とする請求項３に記載の撮像装置。
【請求項６】
前記撮像装置のブレ量を検出する検出手段を更に有し、
前記制御手段は、前記検出手段により検出されるブレ量に応じて、前記設定手段により設定される前記有効画素信号読み出し領域を変更することを特徴とする請求項１乃至５のいずれか１項に記載の撮像装置。
【請求項７】
前記制御手段は、フレーム単位で前記ブレ量に応じた前記有効画素信号読み出し領域の変更可能な範囲を前記設定手段が設定するように制御することを特徴とする請求項６に記載の撮像装置。
【請求項８】
前記基準画素部は遮光されていることを特徴とする請求項１乃至７のいずれか１項に記載の撮像装置。
【請求項９】
前記撮像素子は、列ごとに少なくとも１つのアンプ部を有することを特徴とする請求項１乃至８のいずれか１項に記載の撮像装置。
【請求項１０】
複数の画素が行方向及び列方向において２次元に配列された有効画素部と、前記有効画素部の行方向または列方向の端部に少なくとも１ライン設けられた基準画素部とを有する撮像素子と、
前記有効画素部から有効画素信号を読み出すための有効画素信号読み出し領域と、前記基準画素部から基準画素信号を読み出すための基準画素信号読み出し領域とを行方向または列方向の少なくとも一方において可変設定する設定手段と、前記有効画素信号読み出し領域から前記有効画素信号を読み出すとともに、前記基準画素信号読み出し領域から前記基準画素信号を読み出す読み出し手段と、を有する撮像装置の制御方法であって、
前記基準画素信号読み出し領域が前記有効画素信号読み出し領域よりも広くなるように前記設定手段を制御する制御工程を有することを特徴とする制御方法。
【請求項１１】
前記制御工程では、前記基準画素信号読み出し領域が前記基準画素部の領域全体よりも前記行方向または前記列方向の少なくとも一方において狭くなるように前記設定手段を制御することを特徴とする請求項１０に記載の制御方法。
【請求項１２】
前記読み出し手段により読み出した前記基準画素信号に基づいて列または行ごとの補正データを生成する補正データ生成工程と、
前記補正データを用いて、前記読み出し手段により読み出された前記有効画素信号を列または行ごとに補正する補正工程と、を更に有することを特徴とする請求項１０または１１に記載の制御方法。
【請求項１３】
前記補正データ生成工程により前記補正データを生成する場合に、前記制御工程では、前記基準画素部から前記基準画素信号を列方向に１列おきに間引いて読み出し、間引く列をフレームごとに切り替えるように前記読み出し手段を制御することを特徴とする請求項１２に記載の制御方法。
【請求項１４】
前記補正データ生成工程により前記補正データを生成する場合に、前記制御工程では、前記基準画素部から前記基準画素信号を列方向に１列おきに間引いて読み出し、間引く列を１行おきに切り替えるように前記読み出し手段を制御することを特徴とする請求項１２に記載の制御方法。
【請求項１５】
前記撮像装置は、前記撮像装置のブレ量を検出する検出手段を更に有し、前記制御工程では、前記検出手段により検出されるブレ量に応じて、前記設定手段により設定される前記有効画素信号読み出し領域を変更することを特徴とする請求項１０乃至１４のいずれか１項に記載の制御方法。
【請求項１６】
前記制御工程では、フレーム単位で前記ブレ量に応じた前記有効画素信号読み出し領域の変更可能な範囲を前記設定手段が設定するように制御することを特徴とする請求項１５に記載の制御方法。
【請求項１７】
前記基準画素部は遮光されていることを特徴とする請求項１０乃至１６のいずれか１項に記載の制御方法。
【請求項１８】
前記撮像素子は、列ごとに少なくとも１つのアンプ部を有することを特徴とする請求項１０乃至１７のいずれか１項に記載の制御方法。
【請求項１９】
コンピュータを、請求項１乃至９のいずれか１項に記載の撮像装置の各手段として機能させるためのプログラム。
【請求項２０】
コンピュータを、請求項１乃至９のいずれか１項に記載の撮像装置の各手段として機能させるためのプログラムを記憶したコンピュータによる読み取りが可能な記憶媒体。
【手続補正２】
【補正対象書類名】明細書
【補正対象項目名】００１０
【補正方法】変更
【補正の内容】
【００１０】
上記課題を解決し、目的を達成するために、本発明の撮像装置は、複数の画素が行方向及び列方向において２次元に配列された有効画素部と、前記有効画素部の行方向または列方向の端部に少なくとも１ライン設けられた基準画素部とを有する撮像素子と、前記有効画素部から有効画素信号を読み出すための有効画素信号読み出し領域と、前記基準画素部から基準画素信号を読み出すための基準画素信号読み出し領域とを行方向または列方向の少なくとも一方において可変設定する設定手段と、前記有効画素信号読み出し領域から前記有効画素信号を読み出すとともに、前記基準画素信号読み出し領域から前記基準画素信号を読み出す読み出し手段と、前記基準画素信号読み出し領域が前記有効画素信号読み出し領域よりも広くなるように前記設定手段を制御する制御手段と、を有することを特徴とする。
また、本発明の撮像装置の制御方法は、複数の画素が行方向及び列方向において２次元に配列された有効画素部と、前記有効画素部の行方向または列方向の端部に少なくとも１ライン設けられた基準画素部とを有する撮像素子と、前記有効画素部から有効画素信号を読み出すための有効画素信号読み出し領域と、前記基準画素部から基準画素信号を読み出すための基準画素信号読み出し領域とを行方向または列方向の少なくとも一方において可変設定する設定手段と、前記有効画素信号読み出し領域から前記有効画素信号を読み出すとともに、前記基準画素信号読み出し領域から前記基準画素信号を読み出す読み出し手段と、を有する撮像装置の制御方法であって、前記基準画素信号読み出し領域が前記有効画素信号読み出し領域よりも広くなるように前記設定手段を制御する制御工程を有することを特徴とする。
【手続補正３】
【補正対象書類名】明細書
【補正対象項目名】００２４
【補正方法】変更
【補正の内容】
【００２４】
画像処理部１０８は、ＡＦＥ１０４から出力されるデジタル画像信号について、γ補正、アパーチャ補正、カラーバランス補正等の画像処理を施し、所望の動画フォーマットに変換し、後述する表示部１０９及び記憶部１１０へ出力する。
【手続補正４】
【補正対象書類名】明細書
【補正対象項目名】００７３
【補正方法】変更
【補正の内容】
【００７３】
同様に、列Ｘｒ＋１の有効画素データが読み出されている場合は、列Ｘｒ＋１に対応する補正データＨｖｘｒ＋１を読み出し、列Ｘｒ＋２の有効画素データが読み出されている場合は、列Ｘｒ＋２に対応する補正データＨｖｘｒ＋２を読み出す。そして、それぞれ読み出している列に対応する有効画素データとの差分をとる。
【手続補正５】
【補正対象書類名】明細書
【補正対象項目名】０１０１
【補正方法】変更
【補正の内容】
【０１０１】
補正データ生成部１０５は、ＡＦＥ１０４から列Ｘ０のＶＯＢ信号であるＶＯＢｘ０が入力されると、実施形態１と同様に、補正データメモリ１０６から列Ｘ０に対応する現在の補正データＨＶｘ０を読み出す。そして、ＩＩＲフィルタの計算式（１）において、現在の補正値に対応するＰＨｖｘとして、補正データメモリ１０６から読み出されたＨＶｘ０が入力される。また、式（１）のＶＯＢｘには、列Ｘ０のＶＯＢ信号であるＶＯＢｘ０が入力される。そして、式（１）の演算を行い、ＨＶｘ０の補正データを更新する。